【事件の表示】
　平成８年特許願第３４１５６６号「テーブル用脚の取付具及びテーブル」拒絶査定に対する審判事件［平成９年７月２９日出願公開、特開平９−１９６０３３］について、次のとおり審決する。
【結　論】
　本件審判の請求は、成り立たない。
【理　由】
１．手続の経緯・本願発明
　本願は、平成７年４月５日に出願された特願平７−８０２９１号の一部を特許法第４４条第１項の規定により平成８年１２月２０日に新たな特許出願としたものであって、その請求項１〜４に係る発明は、平成１１年９月３日付け手続補正により補正された明細書及び図面の記載からみて、その特許請求の範囲の請求項１〜４に記載されたとおりのものであるところ、請求項１の記載は次のとおりである。
　
「【請求項１】　テーブルの天板の下面に取り付けられる天板側金具とテーブルの脚体の上部に取り付けられる脚側金具とを具備し、天板側金具の下面に形成した取付孔に脚側金具の上面に突設した頭部を嵌合し、天板側金具の下面から取付孔に対して斜めに貫通するネジ孔に固定ネジを螺合し、脚側金具の頭部外壁に形成した係止用斜面に、固定ネジの先端を当接して、脚側金具を天板側金具の取付孔に支持固定するように構成したテーブル用脚の取付具において、前記天板側金具の取付孔は、前記ネジ孔と対向する支持壁面を、前記脚側金具の頭部の挿入方向に平行に垂直に形成すると共に、前記脚側金具は、前記係止用斜面に対向する前記頭部の反対側に、前記支持壁面に摺接する嵌合支持面を垂直に形成していることを特徴とするテーブル用脚の取付具。」
　
２．刊行物
(1)引用刊行物
　これに対して、原査定の拒絶の理由に引用された、本件出願前に頒布された刊行物である実公平４−１６０１０号公報（以下、「刊行物Ａ」という。）には、テーブル用脚の取付具に関し、図面と共に次の記載がある。
　
（ａ）「テーブルの天板１５の下面に形成された取付孔２７に嵌合固定された天板側金具１であって、その中心に設けられた孔４の対向する２辺の一方には傾め下方に突出する斜面１１が形成され、前記２辺の他方には天板側金具１の底面側から傾め上方向に貫通するねじ孔１２が形成されてなる天板側金具１と、
　脚２３の上端に螺着固定されたボルト状の脚側金具１７であって、その上面には、前記天板側金具１の前記孔４に嵌挿される頭部２０が一体に突設され、該頭部２０の対向する２辺には、それぞれ前記天板側金具１の斜面１１と平行に当接係合する斜面２１と前記ねじ孔１２に螺着された取付けねじ１３の先端が平行に当接係合する傾斜面よりなる係止部２２とが、略逆八字状に形成されてなる脚側金具１７と、
を具備したことを特徴とするテーブル用脚の取付具。」（実用新案登録請求の範囲）
　
（ｂ）「〔産業上の利用分野〕
　本考案はテーブルの天板に脚を着脱可能に取り付けるテーブル用の脚の取付具に関する。」（１頁１欄２１〜２３行）
　
（ｃ）「実施例
「以下、本考案に係るテーブル用脚の取付具の一実施例を図面を参照して説明する。
　第１図乃至第７図に本考案の一実施例を示す。天板側金具１は第１図乃至第４図に示すように、円筒部２と、この円筒部２の下面の一体に同心状に形成された鍔部３とよりなる。この天板側金具１の中心には軸方向に平行な角孔４を形成するコの字状の壁部５が設けられており、この壁部５の平行２辺の端部は円筒部２の内周面に連接している。またこの壁部５の３辺は複数個のリブ６乃至１０を介して円筒部２の内周面に連接している。この円筒部２の前記壁部５の平行２辺間の内周部には、軸方向に対して傾斜する斜面１１が形成されており、この斜面１１と対向する壁部５と円筒部２との間には、軸方向に対して傾斜するねじ孔１２が形成されている。そしてこのねじ孔１２の延長上の前記鍔部３には、このねじ孔１２に第１図に示す取付ねじ１３を螺着するための孔１４が形成されている。さらにこの鍔部３には天板側金具１を第１図に二点鎖線で示す天板１５に取り付けるための４個の孔１６が形成されている。
　一方脚側金具１７は第５図乃至第７図に示すようにボルト状に形成されており、ねじ部１８と、鍔部１９と頭部２０とが同心状に一体になっている。頭部２０は前記天板側金具１に設けられた角孔４に嵌合可能な角柱状に形成されている。そして頭部２０の一方の側面には前記天板側金具１に設けられた斜面１１に整合する形状の斜面２１が形成されている。また頭部２０のこの斜面２１が形成された側面に対向する側面には、前記天板側金具１のねじ孔１２に螺着された取付ねじ１３の先端が係合する係止部２２が切り欠かれて形成されている。上記鍔部２０の、対向する斜面１１と傾斜面としての係止部２２とは、略逆八字形に形成されている。
　・・・（中略）・・・
　本実施例によれば、天板側金具１は天板１５に強固に固定され、天板１５の下面から突出することはない。同様に脚側金具１７も脚２３に強固に固定され、脚２３の上端面より突出することはない。そして脚側金具１７の頭部２０を天板側金具１の角孔４に嵌合し、それぞれに形成された斜面１１，２１を当接させ、ねじ１３を回転させて斜面２１を斜面１１に押圧することにより、天板側金具１と脚側金具１７とが相対的に近接し、脚２３を天板１５に密着固定させることができる。このとき天板側金具１と脚側金具１７とは斜面１１，２１を介して面接触しているので、くりかえし着脱しても摩耗により結合がゆるむことはない。」（２頁３欄３８行〜３頁５欄１４行）
　
（ｄ）「以上説明したように、本考案によれば、脚２３の上端に設けた脚側金具１７の頭部２０を、天板１５の下面に設けた天板側金具１の孔４に嵌挿して、１本の取付けねじ１３の先端で上記頭部２０を孔４の内周に押圧係合固定させるに当り、上記取付けねじ１３は、天板側金具１の底面側から傾め上方向に貫通するねじ孔１２に螺挿されて、天板の底面側から螺回操作されるものであるから、天板の外周に上記ねじ孔が開口する不体裁もなく、比較的短い取付けねじ一本で、容易に着脱自在に脚を天板に固定させることが出来る。
　また、本考案によれば、上記脚２３上端の頭部２０は、その対向する２辺を略逆八字状の傾斜面に形成し、その一方の傾斜係止部２２を上記斜め方向の取付けねじ１３の平行な先端に当接させ、他方の斜面２１は、上記天板側金具１の孔４の対向辺に平行方向に突設した斜面１１に当接させるようにしたので、上記取付けねじ１３を螺締させることにより、その傾斜先端が頭部２０の傾斜係止部２２を下から突き上げると同時に、互いに当接する平行な上記頭部の斜面２１が孔４の斜面１１に沿ってスライドし、脚２３を天板１５に対して比較的小さな力で密着する迄押し上げて強固に固定させることが出来る効果がある。」（３頁５欄２２行〜６欄１６行）
　
　以上の記載からみて、刊行物Ａには次の発明（以下、「引用発明」という。）が記載されていると認められる。
[引用発明]
「テーブルの天板１５の下面に取り付けられる天板側金具１とテーブルの脚２３の上部に取り付けられる脚側金具１７とを具備し、天板側金具１の下面に形成した孔４に脚側金具１７の上面に突設した頭部２０を嵌合し、天板側金具１の下面から孔４に対して斜めに貫通するねじ孔１２に取付けねじ１３を螺合し、脚側金具１７の頭部外壁に形成した傾斜係止部２２に、取付けねじ１３の先端を当接して、脚側金具１７を天板側金具１の孔４に支持固定するように構成したテーブル用脚の取付具において、天板側金具１の孔４の対向する２辺の一方に、斜め下方に突出する斜面１１が形成され、脚側金具１７の頭部２０の１辺に天板側金具１の斜面１１と平行に当接係合する斜面２１が形成されたテーブル用脚の取付具」
　
(2)周知技術
　本件出願前に頒布された刊行物である次の刊行物Ｂ〜Ｄには、以下に示す事項が記載されている。
　Ｂ．昭和11年実用新案出願公告第2695号公報
　Ｃ．実願昭48−82476号（実開昭49−117202号）のマイクロフィルム
　Ｄ．実願平1−121424号（実開平3−59179号）のマイクロフィルム
　
・刊行物Ｂ
　抜脚式卓に関し、図面と共に次の記載がある。
「本案ハ天板(1)ノ裏面ニ定着シタル側板(2)(3)等ニヨリテ任意形状ノ差込札ヲ形成シ該差込札ニ該差込孔ト同形ノ差込部(ロ)ヲ上端ニ形成シタル脚(イ)ヲ着脱自在ニ設ケタル抜脚式卓ニ於テ該差込部(ロ)ノ一側面ニ凹所(4)ヲ設ケ該凹所ノ奥部ニ金属ノ斜面版(5)ヲ定着シ該斜面版ニ對向シテ側板(3)ノ外方ヨリ螺栓(8)ヲ螺装シ以テ該螺栓ノ螺送ニヨリテ斜面版ニ水平方向ト垂直上方ニ向フ二分力ヲ附與スヘクナシ前記差込部(ロ)ノ凹所(4)ノアル側ノ側板(3)ノ下端ト之レニ對スル脚部トノ間ニハ斜面(6)(7)ヲ設ケタルモノナリ前記螺栓(8)ハ水平ニ設クル場合ト假線ニ示ス如ク斜面版(5)ニ略ホ直交シテ設クル場合アルモノトス」（１頁２〜６行）
　
・刊行物Ｃ
　テーブル枠に関し、図面（特にFIG.3）と共に次の記載がある。
「第３図は変更した構造を示し、管状の金属製脚２１は矩形断面をもち、かつテーブル天板から取外すことができる。脚２１の上端部は、矩形断面をもちかつ断面積が脚２１よりも大きな短かい管２２内に滑入し、縁枠２は前記管２２に溶接される。脚２１は、ボス２４にねじ込まれかつ脚２１に設けられた凹所２５に通されるねじ２３によって管２２内に固定される。」（６頁４〜１１行）
　
・刊行物Ｄ
　組立式作業台に関し、図面（特に第１図）と共に次の記載がある。
「脚と天板とを着脱自在とした作業台において、天板の四隅に短筒を固定して短筒の軸を天板面に直立させ、筒の内面を先広がりの錘面とし、他方、脚の周面上で天板の取付位置に１対の対向する孔を付設し、孔の周りに１対の対向する取付片を付設し、各取付片に付設した突起を上記孔内に挿入して取付片を脚の周りに固定し、取付片の外面に下広の傾斜を付して錘面とし、取付片の錘面と短筒の錘面とを互いに密着可能としたことを特徴とする、組立式作業台」（実用新案登録請求の範囲）
　
　刊行物Ｂ〜Ｄの上記摘記事項及び図面の記載からみて、次の技術が本件出願前周知に属する技術であったものと解することができる。
[周知技術]
　テーブルに取付具を介して脚部を取り付ける場合など、第１の部材（取付具）の孔に第２の部材（脚部）の取付用頭部を挿入する場合に、第１の部材の孔の壁面を、第２の部材の頭部の挿入方向に平行（あるいはほぼ平行）、すなわち垂直（あるいはほぼ垂直）に形成すること
　
３．対比・判断
　本願の請求項１に係る発明（以下、「本願発明」という。）と、引用発明とを対比すると、後者の「天板１５」は前者の「天板」に相当し、以下同様に、「天板側金具１」は「天板側金具」に、「脚２３」は「脚体」に、「孔４」は「取付孔」に、「脚側金具１７」は「脚側金具」に、「頭部２０」は「頭部」に、「ねじ孔１２」は「ネジ孔」に、「取付けねじ１３」は「固定ネジ」に、「傾斜係止部２２」は「係止用斜面」に、それぞれ相当する。そして、引用発明における天板側金具１の「斜面１１」は、ねじ孔１２と対向する箇所に位置し、孔４を形成する壁面であるとともに、頭部２０を支持するものである点で、本願発明の「支持壁面」に対応し、また、頭部２０の「斜面２１」は、係止部２２に対向する頭部２０の反対側に位置し、天板側金具１の「斜面１１」に嵌合摺接する点で、「嵌合支持面」に対応する。
　
　したがって、本願発明と引用発明とには、次の一致点及び相違点が存在する。
[一致点]
「テーブルの天板の下面に取り付けられる天板側金具とテーブルの脚体の上部に取り付けられる脚側金具とを具備し、天板側金具の下面に形成した取付孔に脚側金具の上面に突設した頭部を嵌合し、天板側金具の下面から取付孔に対して斜めに貫通するネジ孔に固定ネジを螺合し、脚側金具の頭部外壁に形成した係止用斜面に、固定ネジの先端を当接して、脚側金具を天板側金具の取付孔に支持固定するように構成したテーブル用脚の取付具において、天板側金具の取付孔は、ネジ孔と対向する支持壁面を有し、脚側金具は、係止用斜面に対向する頭部の反対側に、支持壁面に摺接する嵌合支持面を有するテーブル用脚の取付具」
　
[相違点]
　本願発明が、「支持壁面を、脚側金具の頭部の挿入方向に平行に垂直に形成し」、「支持壁面に摺接する嵌合支持面を垂直に形成している」のに対し、引用発明において支持壁面に相当する斜面１１は、頭部の挿入方向に平行に垂直にされておらず、斜面１１に摺接する斜面２１も垂直に形成されていない点。
　
　上記相違点について検討するに、テーブルに取付具を介して脚部を取り付ける場合など、第１の部材（取付具）の孔に、第２の部材（脚部）の取付用頭部を挿入する場合に、第１の部材の孔の壁面を第２の部材の頭部の挿入方向に平行（あるいはほぼ平行）、すなわち垂直（あるいはほぼ垂直）に形成することは、本願出願前周知の技術にすぎない（上記２（2）参照）。
　なお、本願発明の「垂直」については、本願明細書には必ずしも明りょうにされていないが、図面及び明細書全体の記載からみて、天板に対してほぼ直交する方向を指しているものと解する。
　してみると、引用発明において、天板側金具の孔内に形成される、脚側金具の頭部を支持する面を斜面ではなく垂直に形成し、該面に摺接する脚側金具の頭部の嵌合支持面も、対応させて垂直に形成し、本願発明の上記相違点に係る構成とする程度のことは、当該周知技術を適用することによって、当業者が容易になし得たこととするのが相当である。
　請求人は、審判請求書において、原査定における周知引用例である上記刊行物Ｂは、幕板内部の角部を利用して形成される構造であり、着脱自在の取付構造に適応することは不可能である旨主張しているが、上記のように、テーブルに取付具を介して脚部を取り付ける場合に、第１の部材（取付具）の孔の壁面を、第２の部材（脚部）の取付用頭部の挿入方向に垂直に形成することが周知の技術であったことについては、刊行物Ｂに十分に開示されているものと認める。
　そして、斯かる構成としたことにより、本願発明が引用発明及び周知技術が夫々有する作用効果の総和に比し、格別の作用効果を奏するものと認めることもできない。
　したがって、本願発明は引用発明及び周知技術に基づいて当業者が容易に発明をすることができたものである。
　
４．むすび
　以上のとおり、本願発明は特許法第２９条第２項の規定により特許を受けることができないものであるから、その余の請求項に係る発明について検討するまでもなく、本願は、拒絶されるべきものである。
　よって、結論のとおり審決する。